(57)【特許請求の範囲】
【請求項１】
制御対象機器を遠隔操作する遠隔操作装置であって、
制御信号送信手段と、
前記制御対象機器の操作に用いられる複数の仮想操作ボタンを表示する表示手段と、
前記複数の仮想操作ボタンにおける操作を検出する検出手段と、
前記表示手段の表示モードを切換える表示モード遷移手段とを備え、
前記表示モード遷移手段で切換えた前記表示モードに応じて、対応する前記複数の仮想操作ボタンを前記表示手段において表示するとともに、対応する所定の制御信号を前記制御信号送信手段から前記制御対象機器に送信し、
前記仮想操作ボタンにおける操作を前記検出手段において検出した場合に、当該操作された仮想操作ボタンに割り当てられた機能の実現のために次の操作に用いられる前記複数の仮想操作ボタンのみを前記表示手段において識別可能に表示することを特徴とする、
遠隔操作装置。
【請求項２】
前記次の操作に用いられる前記複数の仮想ボタンとともに、前記表示モード遷移手段により切換えられた場合に当該切換え前の前記表示モードに戻るためのボタンを前記表示手段において識別可能に表示することを特徴とする、
請求項１に記載の遠隔操作装置。
【請求項３】
前記制御対象機器は、複数の制御対象機器を含み、
前記制御信号送信手段は、
前記複数の制御対象機器のうち少なくとも一つに前記所定の制御信号を送信することを特徴とする、
請求項１または請求項２に記載の遠隔操作装置。
【請求項４】
請求項１乃至請求項３のいずれかに記載の遠隔操作装置と、
前記遠隔操作装置からの前記所定の制御信号に応じて制御される少なくとも一つの前記制御対象機器とを備えることを特徴とする、
遠隔操作システム。
【請求項５】
遠隔操作装置と、
前記遠隔操作装置からの所定の制御信号に応じて制御される少なくとも一つの前記制御対象機器と、
前記制御対象機器の操作に用いられる複数の実体操作ボタンを有する別の遠隔操作装置とを備え、
前記遠隔操作装置は、
制御対象機器を遠隔操作する遠隔操作装置であって、
制御信号送信手段と、
前記制御対象機器の操作に用いられる複数の仮想操作ボタンを表示する表示手段と、
前記複数の仮想操作ボタンにおける操作を検出する検出手段と、
前記表示手段の表示モードを切換える表示モード遷移手段とを備え、
前記表示モード遷移手段で切換えた前記表示モードに応じて、対応する前記複数の仮想操作ボタンを前記表示手段において表示するとともに、対応する前記所定の制御信号を前記制御信号送信手段から前記制御対象機器に送信し、
前記表示手段は、
前記複数の実体操作ボタンを前記複数の仮想操作ボタンとして表示し、
前記仮想操作ボタンにおける操作を前記検出手段において検出した場合に、当該操作された仮想操作ボタンに割り当てられた機能の実現のために次の操作に用いられる前記複数の仮想操作ボタンのみを前記表示手段において識別可能に表示することを特徴とする、
遠隔操作システム。
【発明の詳細な説明】
【技術分野】
【０００１】
本発明は、遠隔操作装置および遠隔操作システムに関するものである。
【背景技術】
【０００２】
従来、テレビやＤＶＤ（Digital Versatile Disc）レコーダー等の機器を遠隔操作する場合、リモートコントローラに固定的に設けられた実体のボタンを押下する操作が一般的であった。
【０００３】
その一方で、近年のデジタルテレビやＤＶＤレコーダーといった制御対象機器の操作は、複雑かつ高機能化しているため、このような機器を遠隔操作するリモートコントローラの操作ボタン数は増加している。そのため、所望の操作をするためのボタンが見つからないという問題があった。
【０００４】
この問題を解決するため、特許文献１に記載された発明では、表示装置と、検出手段であるタッチパネルとを有し、表示内容を表示モードごとに変更することにより、表示装置に表示すべきボタンを変更するリモートコントローラが提案されている。このように、表示モードごとに表示するボタンを変更することにより、表示装置に一度に表示するボタン数を減らしている。
【０００５】
【特許文献１】特開２００５−１３６５１８号公報
【発明の開示】
【発明が解決しようとする課題】
【０００６】
しかしながら、特許文献１に記載された発明では、リモートコントローラの表示モードを変更しても、その変更とともに制御対象機器は制御されない。そのため、表示モードを切り換えて所望の操作を行うためには、ボタンを押下する回数が増加し、リモートコントローラの操作が非常に煩わしいという問題があった。その結果、高齢者や情報弱者のみならず、日頃、上記のような制御対象機器に接する機会の多い人にとっても、操作が困難で、かつ煩雑であるという問題があった。
【０００７】
また、多くの場合、デジタルテレビやＤＶＤレコーダーのように、複数の制御対象機器を組み合わせて使用する機会が増加しており、リモートコントローラの操作がより複雑なものになっているという問題があった。
【０００８】
本発明は、上記のような問題点を解決するためになされたものであり、制御対象機器の操作を容易にし、操作性に優れたリモートコントローラと遠隔操作システムを提供することを目的とする。
【課題を解決するための手段】
【０００９】
本発明の遠隔操作装置は、制御対象機器を遠隔操作する遠隔操作装置であって、制御信号送信手段と、前記制御対象機器の操作に用いられる複数の仮想操作ボタンを表示する表示手段と、前記複数の仮想操作ボタンにおける操作を検出する検出手段と、前記表示手段の表示モードを切換える表示モード遷移手段とを備える。そして、前記表示モード遷移手段で切換えた前記表示モードに応じて、対応する前記複数の仮想操作ボタンを前記表示手段において表示するとともに、対応する所定の制御信号を前記制御信号送信手段から前記制御対象機器に送信し、前記仮想操作ボタンにおける操作を前記検出手段において検出した場合に、当該操作された仮想操作ボタンに割り当てられた機能の実現のために次の操作に用いられる前記複数の仮想操作ボタンのみを前記表示手段において識別可能に表示する。
【発明の効果】
【００１０】
本発明の遠隔操作装置および遠隔操作システムによれば、遠隔操作装置の表示モードの変更とともに、その表示モードに対応する所定の制御信号を制御対象機器に送信するため、制御対象機器の操作を容易にし、操作性を向上させることができる。
【発明を実施するための最良の形態】
【００１１】
＜実施の形態１＞
図１は、本実施の形態に係る遠隔操作システムの機器構成を示す図である。本実施の形態に係る遠隔操作システムは、遠隔操作装置１１１と、制御対象機器とを備える。本実施の形態では、制御対象機器は、表示装置１１２および記録再生装置１１３であるものとして以下説明する。
【００１２】
遠隔操作装置１１１には、例えば、リモートコントローラが該当し、制御対象機器である表示装置１１２および記録再生装置１１３を遠隔操作する。本実施の形態に係る遠隔操作装置１１１は、後述する液晶タッチパネル１２５を備える。図１では、その液晶タッチパネル１２５を正面にして、遠隔操作装置１１１が示されている。
【００１３】
表示装置１１２には、例えば、テレビが該当し、記録再生装置１１３には、例えば、ＤＶＤレコーダーが該当する。本実施の形態では、表示装置１１２の映像音声出力と、記録再生装置１１３の映像音声入力との間に、映像音声を伝送する接続ケーブル１１４が設けられている。この接続ケーブル１１４には、例えば、ＡＶ（Audio/Visual）ケーブルが該当する。以下の説明において、テレビは表示装置１１２を意味し、レコーダーは記録再生装置１１３を意味することもある。
【００１４】
遠隔操作装置１１１において操作が行われると、遠隔操作装置１１１から、表示装置１１２および記録再生装置１１３に所定の制御信号が送信される。表示装置１１２および記録再生装置１１３は、遠隔操作装置１１１からの所定の制御信号に応じて制御される。所定の制御信号は、本実施の形態では、赤外線送信信号１１５であるものとする。
【００１５】
図２は、本実施の形態に係る遠隔操作装置１１１の構成を示すブロック図である。図２に示すように、本実施の形態に係る遠隔操作装置１１１は、表示モード遷移手段であるＣＰＵ（Central Processing Unit）１２１と、メモリ１２２と、表示手段である液晶パネル１２３と、検出手段であるタッチパネル１２４と、制御信号送信手段である信号送信部１２６と、発音装置１２７とを備える。
【００１６】
メモリ１２２は、ＣＰＵ１２１のプログラムコードを格納している。このメモリ１２２には、例えば、Flash ROMが該当する。液晶パネル１２３は、表示装置１１２および記録再生装置１１３の操作に用いられる複数の仮想操作ボタンを表示する。タッチパネル１２４は、液晶パネル１２３に表示された複数の仮想操作ボタンにおける操作を検出する。本実施の形態では、タッチパネル１２４は、液晶パネル１２３上に取り付けられており、液晶パネル１２３と一体化して液晶タッチパネル１２５を構成している。
【００１７】
使用者が指やペンを使用してタッチパネル１２４を押下したときに、タッチパネル１２４はその押下した座標を検知する。上述したように、液晶パネル１２３とタッチパネル１２４は一体化されているため、タッチパネル１２４は、液晶パネル１２３に表示された仮想操作ボタンのうち、どの仮想操作ボタンを押下したかを検出することができる。
【００１８】
なお、以下の説明において、液晶パネル１２３において仮想操作ボタンを表示することを、液晶タッチパネル１２５（または遠隔操作装置１１１）において仮想操作ボタンを表示する、と記述することもある。また、タッチパネル１２４において仮想操作ボタンにおける操作を検出することを、液晶タッチパネル１２５（または遠隔操作装置１１１）において仮想操作ボタンにおける操作を検出する、と記述することもある。
【００１９】
信号送信部１２６は、液晶タッチパネル１２５の仮想操作ボタンにおいて使用者が入力操作を行ったときに、赤外線送信信号１１５を表示装置１１２および記録再生装置１１３に送信する。発音装置１２７は、液晶タッチパネル１２５の仮想操作ボタンにおいて使用者が入力操作を行ったときに、操作音、例えば、ビープ音を発生する。
【００２０】
遠隔操作装置１１１に内蔵されたＣＰＵ１２１は、本実施の形態では、メモリ１２２に格納されたプログラムコードに従い、液晶タッチパネル１２５において仮想操作ボタンを表示する制御を行う。
【００２１】
図３は、本実施の形態に係る遠隔操作装置１１１の液晶タッチパネル１２５において、表示モードごとに切換えて表示される仮想操作ボタンの一例を示す図である。本実施の形態に係る表示モードは、図３に示すように、図３（ａ）に示すテレビモード、図３（ｂ）に示す再生モード、図３（ｃ）に示す予約モードによる３つの表示モードからなる。
【００２２】
図３（ａ）に示すテレビモードは、主として図１に示した表示装置１１２を操作するための仮想操作ボタンを配置した表示モードである。このテレビモードでは、図３（ａ）で「放送切換」と付され、地上波放送や衛星放送などの放送種別を切換えるための仮想操作ボタン（以下、放送切換ボタン）１３４を、液晶タッチパネル１２５に表示する。この放送切換ボタン１３４が押されると、赤外線送信信号１１５が送信され、テレビなどの表示装置１１２の放送種別の切換えが行われる。さらに、このテレビモードは、図３（ａ）で「１」〜「１２」の番号が付され、選択が可能な受信チャンネルに対応する仮想操作ボタン１３５を、液晶タッチパネル１２５に表示する。使用者により、受信チャンネルに対応する仮想操作ボタン１３５が押されると、テレビなどの表示装置１１２に赤外線送信信号１１５が送信され、その受信チャンネルが、仮想操作ボタン１３５に対応する受信チャンネルに切り換わる。
【００２３】
図３（ｂ）に示す再生モードは、主として記録再生装置１１３の再生機能を操作するための仮想操作ボタンを配置した表示モードである。この再生モードでは、ＤＶＤレコーダーなどの記録再生装置１１３が備える再生可能な記録媒体の名称に対応する仮想操作ボタンを、液晶タッチパネル１２５に表示する。その記録媒体は、本実施の形態では、ＨＤＤ（Hard Disk Drive）およびＤＶＤであるものとし、その名称に対応する仮想操作ボタンは、「ＨＤＤ」と付された仮想操作ボタン１３６，「ＤＶＤ」と付された仮想操作ボタン１３７であるものとする。使用者により、仮想操作ボタン１３６，１３７のいずれか１つが選択して押されると、記録再生装置１１３に赤外線送信信号１１５が送信され、操作対象の記録媒体が、押下された仮想操作ボタン１３６，１３７に対応する記録媒体に切り換わる。
【００２４】
また、図３（ｂ）に示す再生モードでは、液晶タッチパネル１２５に、再生画を早送り・早戻し・停止などを行うための仮想操作ボタン１３８が表示される。使用者により、仮想操作ボタン１３８が選択され押下されると、記録再生装置１１３において、押下された仮想操作ボタンに対応する早送り・早戻し・停止などの動作が行われる。さらに、再生リストと呼ばれる録画済み（もしくは録画中）の番組リストから、再生したい番組を選択するための上下キーに対応する仮想操作ボタン１３９も表示する。
【００２５】
図３（ｃ）に示す予約モードは、主として記録再生装置１１３の録画予約機能を操作するための仮想操作ボタンを配置した表示モードである。この予約モードでは、電子番組表と呼ばれる放送予定番組一覧表において、録画予約される番組を使用者が任意に選択して決定するための仮想操作ボタン１４０を液晶タッチパネル１２５に表示する。電子番組表は、例えば、テレビなどの表示装置１１２、および、ＤＶＤレコーダーなどの記録再生装置１１３が備えるＥＰＧ（Electrical Program Guide）による番組表が該当する。本実施の形態では、電子番組表は、記録再生装置１１３が備えるものとして説明する。
【００２６】
図３（ｃ）に示す予約モードでは、録画予約の内容、例えば、番組や時間を変更するための仮想操作ボタン１４１を、液晶タッチパネル１２５に表示する。使用者は、仮想操作ボタン１４１を操作して、上述の番組表から任意の番組を選択し、仮想操作ボタン１４０を押して予約録画する番組を決定することができる。
【００２７】
このように、本実施の形態に係る遠隔操作装置１１１は、各表示モードごとに、使用者の目的「テレビ番組の視聴（テレビモード）」、「録画済み番組の再生（再生モード）」、「番組録画予約（予約モード）」に対して、それぞれ必要な仮想操作ボタンを配置している。
【００２８】
これらの各表示モードの切換えは、ＣＰＵ１２１が液晶タッチパネル１２５に表示する仮想操作ボタンの形状／サイズ／位置／色／文字を適宜変更することで実現している。本実施の形態では、仮想操作ボタンには、各表示モード遷移用の仮想操作ボタンが設けられている。以下、この表示モード遷移用の仮想操作ボタンを、表示モード遷移ボタン１３０と呼ぶことにする。本実施の形態に係るＣＰＵ１２１は、この表示モード遷移ボタン１３０における操作を検出した場合に、液晶パネル１２３の表示モードを切換える。
【００２９】
本実施の形態では、表示モード遷移ボタン１３０は、図３に示すテレビモードボタン１３１、予約モードボタン１３２、再生モードボタン１３３であり、これらボタンは、液晶タッチパネル１２５の画面上部に共通して配置されている。テレビモードボタン１３１は、図３（ａ）に示すテレビモードに遷移するために使用される。予約モードボタン１３２は、図３（ｃ）に示す予約モードに遷移するために使用される。再生モードボタン１３３は、図３（ｂ）に示す再生モードに遷移するために使用される。
【００３０】
遠隔操作装置１１１は、ＣＰＵ１２１で切換えた表示モードに応じて、対応する複数の仮想操作ボタンを液晶パネル１２３において表示するとともに、対応する赤外線送信信号１１５を信号送信部１２６から表示装置１１２および記録再生装置１１３に送信する。
【００３１】
図４は、遠隔操作装置１１１の３つの表示モードの中で、テレビモード（図３（ａ））から再生モード（図３（ｂ））へ遷移するときの遠隔操作装置１１１と、表示装置１１２および記録再生装置１１３の動作を示す図である。図４（ａ）、（ｂ）には、図３（ａ）、（ｂ）を再度図示している。上述したように、遠隔操作装置１１１がテレビモード（図４（ａ））にあるとき、再生モードボタン１３３を押下すると、ＣＰＵ１２１は、遠隔操作装置１１１の液晶タッチパネル１２５を再生モード（図４（ｂ））に遷移する。
【００３２】
その遷移とともに、本実施の形態に係る遠隔操作装置１１１の信号送信部１２６は、表示装置１１２および記録再生装置１１３に、再生モードに対応する赤外線送信信号１１５を送信する。図４（ｃ）は、再生モードに対応する赤外線送信信号１１５の一例を図示したものである。本実施の形態では、まず、表示装置１１２に、記録再生装置１１３からの映像音声を表示させるために、テレビ識別コードと入力切換コードとを送信する。その後、略同時に、記録再生装置１１３に、再生リストに対応する映像音声を出力させるために、レコーダー識別コードと再生リスト表示コードを送信する。
【００３３】
図４（ｄ），（ｅ）は、表示装置１１２の表示を示す図である。表示装置１１２は、図４（ｃ）に示す赤外線送信信号１１５のテレビ識別コードおよび入力切換コードを受けると、受信チャンネルの映像音声を表示している状態（図４（ｄ））から、記録再生装置１１３からの映像音声を表示する状態（図４（ｅ））に切り換わる準備を行う。
【００３４】
図４（ｆ），（ｇ）は、記録再生装置１１３の映像音声出力を、表示装置１１２において表示したときの図である。記録再生装置１１３は、図４（ｃ）に示す赤外線送信信号１１５のレコーダー識別と再生リスト表示コードを受けると、再生リストの映像音声を出力していない状態（図４（ｆ））から、再生リストに対応する映像音声を表示装置１１２に出力する状態（図４（ｇ））に切り換わる準備を行う。これらの一連の動作により、記録再生装置１１３から出力された再生リストの映像音声は、接続ケーブル１１４を経由して、表示装置１１２上に表示される。
【００３５】
以上の動作を行う本実施の形態に係る遠隔操作システムによれば、再生モードに切り換えると、遠隔操作装置１１１では、再生リストから番組を選択するのに必要な仮想操作ボタンを表示する。それとともに、遠隔操作装置１１１は、表示装置１１２、および、記録再生装置１１３を制御するため、再生モード遷移後、使用者は、すぐに再生したい記録済み番組の選択操作が可能になる。こうして、表示装置１１２および記録再生装置１１３の操作を容易にし、操作性を向上させることができる。
【００３６】
図５は、遠隔操作装置１１１の３つの表示モードの中で、テレビモード（図３（ａ））から予約モード（図３（ｃ））へ遷移するときの遠隔操作装置１１１と、表示装置１１２および記録再生装置１１３の動作を示す図である。図５（ａ）、（ｂ）には、図３（ａ）、（ｃ）を再度図示している。上述したように、遠隔操作装置１１１がテレビモード（図５（ａ））にあるとき、予約モードボタン１３２を押下すると、ＣＰＵ１２１は、遠隔操作装置１１１の液晶タッチパネル１２５を再生モード（図５（ｂ））に遷移する。
【００３７】
その遷移とともに、本実施の形態に係る遠隔操作装置１１１の信号送信部１２６は、表示装置１１２および記録再生装置１１３に、予約モードに対応する赤外線送信信号１１５を送信する。図５（ｃ）は、予約モードに対応する赤外線送信信号１１５の一例を図示したものである。本実施の形態では、まず、表示装置１１２に、記録再生装置１１３からの映像音声を表示させるために、テレビ識別コードと入力切換コードとを送信する。その後、略同時に、記録再生装置１１３に、電子番組表に対応する映像音声を出力させるために、レコーダー識別コードと番組表表示コードを送信する。
【００３８】
図５（ｄ），（ｅ）は、表示装置１１２の表示を示す図である。表示装置１１２は、図４（ｃ）に示す赤外線送信信号１１５のテレビ識別コードおよび入力切換コードを受けると、受信チャンネルの映像音声を表示している状態（図５（ｄ））から、記録再生装置１１３からの映像音声を表示する状態（図５（ｅ））に切り換わる準備を行う。
【００３９】
図５（ｆ），（ｇ）は、記録再生装置１１３の映像音声出力を、表示装置１１２において表示したときの図である。記録再生装置１１３は、図４（ｃ）に示す赤外線送信信号１１５のレコーダー識別と再生リスト表示コードを受けると、電子番組表の映像音声を出力していない状態（図５（ｆ））から、電子番組表に対応する映像音声を表示装置１１２に出力する状態（図５（ｇ））に切り換わる。これらの一連の動作により、記録再生装置１１３から出力された電子番組表の映像音声は、接続ケーブル１１４を経由して、表示装置１１２上に表示される。
【００４０】
以上の動作を行う本実施の形態に係る遠隔操作システムによれば、予約モードに切り換えると、遠隔操作装置１１１では、電子番組表から番組を選択するのに必要な仮想操作ボタンを表示する。それとともに、遠隔操作装置１１１は、表示装置１１２、および、記録再生装置１１３を制御するため、予約モード遷移後、使用者は、すぐに予約したい放送予定番組の選択操作が可能になる。こうして、表示装置１１２および記録再生装置１１３の操作を容易にし、操作性を向上させることができる。
【００４１】
以上、テレビモードから再生モードへの表示モード遷移と、テレビモードから予約モードへの表示モード遷移を例にして説明した。これらの遷移と同様にして、これらの遷移と逆方向の遷移、および、再生モードと予約モード間での表示モード遷移も行う。
【００４２】
以上のように、本実施の形態に係る遠隔操作システムによれば、表示モードを切り換えると、遠隔操作装置１１１では、対応する仮想操作ボタンを表示するとともに、表示装置１１２では、記録再生装置１１３から出力される映像音声を表示する。このため、表示装置１１２および記録再生装置１１３の操作を容易にし、操作性を向上させることができる。
【００４３】
また、本実施の形態に係る遠隔操作装置１１１の信号送信部１２６は、表示装置１１２および記録再生装置１１３に、表示モードに対応する赤外線送信信号１１５を送信する。そのため、表示装置１１２および記録再生装置１１３の両方の操作を行うことができ、さらに操作を容易にし、操作性をさらに向上させることができる。
【００４４】
なお、本実施の形態では、表示装置１１２と記録再生装置１１３との間に接続ケーブル１１４を設け、遠隔操作装置１１１は、表示装置１１２と記録再生装置１１３の両方に赤外線送信信号１１５を送信した。しかしこれに限ったものではなく、信号送信部１２６から制御対象機器の少なくとも一つに赤外線送信信号を送信するものであってもよい。
【００４５】
例えば、表示装置１１２および記録再生装置１１３のいずれか片方の制御対象機器にのみ赤外線送信信号１１５を送信し、それから、その制御対象機器から残りの制御対象機器に、赤外線送信信号を送信する構成であってもよい。また、表示装置１１２と記録再生装置１１３との間で赤外線送信信号とは別の通信手段を用いて、制御対象機器から残りの制御対象機器に動作指示信号を送信する構成であってもよい。上述の別の通信手段には、例えば、ＨＤＭＩ（High-Definition Multimedia Interface）規格ケーブルを経由して送受信されるＣＥＣ（Consumer Electronics Control）が該当する。
【００４６】
また、本実施の形態では、遠隔操作装置１１１の信号送信部１２６から、表示装置１１２および記録再生装置１１３に送信される所定の制御信号は、赤外線送信信号１１５であるものとして説明した。しかし、所定の制御信号は、赤外線送信信号１１５に限ったものではなく、電波、光などの信号であれば、上述と同様の効果を奏する。
【００４７】
また、本実施の形態では、遠隔操作装置１１１の表示モードを、テレビモード、再生モード、予約モードの３つの表示モードとした。しかしこれに限ったものではなく、その中の２つの表示モードであってもよいし、また、上記以外の表示モードをさらに設けるものであってもよい。
【００４８】
また、本実施の形態では、遠隔操作装置１１１上に仮想操作ボタンを表示する表示手段として、液晶タッチパネル１２５を構成する液晶パネル１２３を用いた。しかし表示手段は液晶パネル１２３に限ったものではなく、表示デバイスであればその種類は問わない。同様に、本実施の形態では、仮想操作ボタンにおける操作を検出する検出手段として、液晶タッチパネル１２５を構成するタッチパネル１２４を用いた。しかし、検出手段はタッチパネル１２４に限ったものではなく、使用者が押下した仮想操作ボタンを特定できるものであれば、ポインティングデバイスの種類は問わない。
【００４９】
また、本実施の形態では、遠隔操作装置１１１上には、液晶タッチパネル１２５に表示される仮想操作ボタンのみを搭載している構成としている。しかしこれに限ったものではなく、ハードウェアにより構成される十字キーなどの実体操作ボタンなどと併用するように構成しても構わない。また、表示モード遷移ボタン１３０は、各表示モードで共通に使用できるため、仮想操作ボタンではなく、ハードウェアにより構成される実体操作ボタンであってもよい。
【００５０】
＜実施の形態２＞
図６は、本実施の形態に係る遠隔操作システムを示す図である。本実施の形態に係る遠隔操作システムは、図６に示す遠隔操作装置２６１を備える。以下、本実施の形態に係る遠隔操作システムの構成のうち、実施の形態１と同一の構成については、同一の符号を付すものとし、新たに説明しない構成については、実施の形態１と同じであるものとする。
【００５１】
図６（ａ）は、実施の形態１で説明したテレビモード、図６（ｂ）は、実施の形態１で説明した再生モード、図６（ｃ）は、実施の形態１で説明した予約モードを示している。これら各表示モードの主たる構成・動作は、実施の形態１と同様である。
【００５２】
実施の形態１では、遠隔操作装置１１１に表示モード遷移ボタン１３０を用意した。そして、表示モード遷移ボタン１３０を遠隔操作装置１１１の表示モード遷移に使用するとともに、表示装置１１２および記録再生装置１１３への赤外線送信信号１１５を送信するために使用した。
【００５３】
しかし、実施の形態１の図４に示すような仮想操作ボタンの種類・配置では、遠隔操作装置１１１の表示モード遷移を伴わずに、表示装置１１２と記録再生装置１１３へ赤外線送信信号１１５を送信することができない。
【００５４】
例えば、実施の形態１では、使用者が再生モードボタン１３３を押下して、テレビモード（図４（ａ））から再生モード（図４（ｂ））へ移行した際に、遠隔操作装置１１１は、表示装置１１２に対して、外部入力映像を表示させるための赤外線送信信号１１５を送信した。それと略同時に、遠隔操作装置１１１は、記録再生装置１１３に対して、再生リストを表示させるための赤外線送信信号１１５を送信した。これらの動作により、表示装置１１２において、記録再生装置１１３からの再生リストを表示させることが可能となり、その状態から、使用者は、再生リストに記された録画済み番組の選択を行うことにより、番組の再生を開始することができた。
【００５５】
しかし、記録再生装置１１３には、番組の再生終了後、再生リストを再表示しないように構成されている装置もある。そのような記録再生装置１１３では、使用者が次の番組を再生しようとしたときに、遠隔操作装置１１１を一旦テレビモードに切り換えた後、もう一度再生モードに切り換える必要があり、操作がかえって煩雑になるといった不具合がある。
【００５６】
このような不具合を解決する手段として、例えば、再生モード（図４（ｂ））で再生モードボタン１３３を再度押下したときに、遠隔操作装置１１１が表示装置１１２に対して、記録再生装置１１３からの映像音声を表示させるための赤外線送信信号１１５を送信する。そして、その赤外線送信信号１１５の送信と略同時に、記録再生装置１１３に対して、再生リストを表示させるための赤外線送信信号１１５を送信する。これにより、表示装置１１２に、記録再生装置１１３からの再生リストに対応する映像音声を表示させる。このように、遠隔操作装置１１１での表示モード遷移を除いて、上述の表示モード遷移時と同等の動作をさせる方法により、上述の不具合については、解決することができる。
【００５７】
しかしながら、この方法だけでは、遠隔操作装置１１１での表示モード遷移を伴わない機器操作であるにもかかわらず、表示モード遷移ボタン１３０を用いて機器操作しているため、直感的な操作が困難で、使用者の混乱を招きやすいといった問題点が残る。
【００５８】
上記の問題点を解決するため、本実施の形態に係る遠隔操作装置２６１は、表示モード遷移に使用するための表示モード遷移ボタンとは別に、表示モード遷移を伴わずに機器操作を行う機器操作専用ボタンを備える。本実施の形態では、図６に示すように、再生モードにおいて、機器操作専用ボタンである再生リストボタン２６２を備え、予約モードにおいて、機器操作専用ボタンである番組表ボタン２６３を備える。
【００５９】
図６（ｂ）は、本実施の形態に係る遠隔操作装置２６１の再生モードにおける表示を示す図である。図６（ｂ）に示すように、本実施の形態に係る遠隔操作装置２６１の再生モードは、実施の形態１の遠隔操作装置１１１の再生モード（図３（ｂ））と異なり、再生リストボタン２６２が配置されている。図６（ｃ）は、本実施の形態に係る遠隔操作装置１１１の予約モードにおける表示を示す図である。図６（ｃ）に示すように、本実施の形態に係る遠隔操作装置２６１の予約モードは、実施の形態１の遠隔操作装置１１１の予約モード（図３（ｃ））と異なり、番組表ボタン２６３が配置されている。
【００６０】
図６（ｂ）において、遠隔操作装置２６１が再生モード中であるにも関わらず、記録再生装置１１３からの再生リストが表示装置１１２において表示されていない場合に、使用者が再生リストボタン２６２を押下したとする。この場合、遠隔操作装置２６１の表示モード遷移を伴わずに、再生リストを表示させるための赤外線送信信号１１５が送信され、表示装置１１２において、記録再生装置１１３からの再生リストが表示される。ここでの赤外線送信信号１１５とは、表示装置１１２に対して送信され、記録再生装置１１３からの映像音声を表示させるための赤外線送信信号１１５、および／または、記録再生装置１１３に対して送信され、再生リストに対応する映像音声を出力させるための赤外線送信信号１１５を意味する。
【００６１】
同様に、図６（ｃ）において、遠隔操作装置２６１が予約モード中であるにも関わらず、記録再生装置１１３からの電子番組表が表示装置１１２において表示されていない場合に、使用者が番組表ボタン２６３を押下したとする。この場合、遠隔操作装置２６１の表示モード遷移を伴わずに、電子番組表を表示させるための赤外線送信信号１１５が送信され、表示装置１１２において、記録再生装置１１３からの電子番組表が表示される。ここでの赤外線送信信号１１５とは、表示装置１１２に対して送信され、記録再生装置１１３からの映像音声を表示させるための赤外線送信信号１１５、および／または、記録再生装置１１３に対して送信され、電子番組表に対応する映像音声を出力させるための赤外線送信信号１１５を意味する。
【００６２】
このように、本実施の形態に係る遠隔操作システムの遠隔操作装置２６１は、表示モード遷移とともに機器操作を行う表示モード遷移ボタン１３０と、表示モード遷移を伴わずに機器操作を行う機器操作専用ボタンとが、それぞれ独立に用意されている。これにより、表示モード遷移が必要ない場合でも機器操作が可能となるため、遠隔操作システムの使い勝手を向上させることができる。もちろん、表示モード遷移ボタン１３０と機器操作専用ボタンとを兼用する上述の手段とを併用しても構わない。
【００６３】
＜実施の形態３＞
図７は、本実施の形態に係る遠隔操作システムを示す図である。本実施の形態に係る遠隔操作システムは、図７に示す遠隔操作装置３７１を備える。以下、本実施の形態に係る遠隔操作システムの構成のうち、実施の形態１と同一の構成については、同一の符号を付すものとし、新たに説明しない構成については、実施の形態１と同じであるものとする。
【００６４】
図７（ａ）は、実施の形態１で説明したテレビモードにおける遠隔操作装置３７１の表示を示し、図７（ｂ）は、図７（ａ）において放送切換ボタン１３４を押下した後の遠隔操作装置３７１の表示を示している。図７（ｂ）に示すように、遠隔操作装置３７１は、放送切換ボタン１３４を押下された後、地上波デジタル放送選択ボタン３７２、ＢＳ（Broadcasting Satellite）デジタル放送選択ボタン３７３、ＣＳ（Communication Satellite）デジタル放送選択ボタン３７４、地上波アナログ放送選択ボタン３７５を表示する。
【００６５】
図７（ａ）に示すテレビモードでは、実施の形態１もしくは実施の形態２と同様に、テレビ番組の視聴目的のために表示装置１１２を操作するための仮想操作ボタンと、表示モード遷移のための表示モード遷移ボタン１３０が、液晶タッチパネル１２５上に表示されている。
【００６６】
図７（ａ）の状態から、使用者が放送切換ボタン１３４を押下したとき、遠隔操作装置３７１の液晶タッチパネル１２５の表示は、図７（ｂ）の状態へ遷移する。放送切換ボタン１３４は、例えば、デジタル放送対応テレビなどで受信する放送波の種類を切り換えるためのボタンである。受信する放送波として代表的なものには、例えば、デジタル地上波を用いた地上波デジタル放送、放送衛星を用いたＢＳデジタル放送、通信衛星を用いたＣＳデジタル放送、従来のアナログ地上波を用いた地上波アナログ放送などが挙げられる。
【００６７】
使用者が放送切換ボタン１３４を押下した後に、期待される次の操作選択としては、放送波の選択動作以外は通常有り得ない。そこで、本実施の形態に係る遠隔操作装置３７１は、仮想操作ボタンである放送切換ボタン１３４における操作を液晶タッチパネル１２５において検出した場合に、次の操作選択肢に用いられる複数の仮想操作ボタンを識別可能に表示する。本実施の形態では、使用者に対して、次の操作選択肢に用いられる仮想操作ボタンを識別可能にするために、次の選択操作に使用しない仮想操作ボタンの表示色を変えて液晶タッチパネル１２５に表示するものとする。次の操作選択肢に用いられる複数の仮想操作ボタンとは、本実施の形態では、図７（ｂ）に示す地上波デジタル放送選択ボタン３７２、および、ＢＳデジタル放送選択ボタン３７３、および、ＣＳデジタル放送選択ボタン３７４、および、地上波アナログ放送選択ボタン３７５である。
【００６８】
なお、本実施の形態では、次の選択操作に使用しない仮想操作ボタンは、操作不可であるものとする。こうして、次の操作選択が限定されると期待できる場合に、期待される操作を行う仮想操作ボタン以外は操作できないようしている。
【００６９】
図７（ｂ）から、いずれかの放送波の選択操作に対応する仮想操作ボタンを押下した場合、遠隔操作装置３７１は、当該放送波選択に応じて赤外線送信信号１１５を送信する。例えば、地上波デジタル放送選択ボタン３７２を選択した場合、遠隔操作装置３７１は、表示装置１１２に対して、地上波デジタル放送を選択する赤外線送信信号１１５を送信するとともに、図７（ａ）の表示モードに遷移する。一方、表示装置１１２は、赤外線送信信号１１５を受信した後、選択された放送波に受信を切り換えて表示する。
【００７０】
このように、本実施の形態に係る遠隔操作システムの遠隔操作装置３７１では、次の操作選択が限定されると期待できる場合に、次の操作選択肢に用いられる仮想操作ボタンを液晶タッチパネル１２５において識別可能に表示する。そのため、使用者が、次の操作に迷うことが無くなり、遠隔操作システムの使い勝手を向上させることができる。
【００７１】
なお、本実施の形態では、次の操作選択肢に用いられる仮想操作ボタン以外は、表示色を変えて選択できないことを表示した。しかし、これに限ったものではなく、それ以外の手段、例えば、仮想操作ボタン上に操作禁止マークを表示するなどの手段を用いてもよいし、選択できない仮想操作ボタンは液晶タッチパネル１２５上に表示しないように構成してもよい。
【００７２】
また、本実施の形態では、次の操作選択肢に用いられる仮想操作ボタンとして、表示装置１１２が受信する放送波を切り換える仮想操作ボタンを例に挙げたが、これに限ったものではない。
【００７３】
例えば、使用者の誤操作により放送切換ボタン１３４が押下され、液晶タッチパネル１２５の表示が、図７（ｂ）に遷移した可能性も考えられる。この場合、次の操作選択肢として、図７（ｂ）から図７（ａ）に直接戻るという選択肢が考えられる。そのため、次の操作選択肢に用いられる仮想操作ボタンは、図７（ｂ）から図７（ａ）に直接戻る仮想操作ボタンを含むものであってもよい。また、次の操作選択肢に用いられる仮想操作ボタンは、記録再生装置１１３の機能設定を切り換える仮想操作ボタンを含むものであってもよい。これらの場合も、遠隔操作システムの使い勝手を向上させる効果を得ることができる。
【００７４】
＜実施の形態４＞
図８，図９は、本実施の形態に係る遠隔操作システムを示す図である。本実施の形態に係る遠隔操作システムは、図８に示す第１の遠隔操作装置４８１と、図９に示す第２の遠隔操作装置４８２とを備える。以下、本実施の形態に係る遠隔操作システムの構成のうち、実施の形態１と同一の構成については、同一の符号を付すものとし、新たに説明しない構成については、実施の形態１と同じであるものとする。
【００７５】
遠隔操作装置である第１の遠隔操作装置４８１は、実施の形態１で説明した遠隔操作装置１１１と同様に、液晶タッチパネル１２５を備える。図８では、液晶タッチパネル１２５を備える第１の遠隔操作装置４８１の表示モード遷移が示されており、図８（ａ）にテレビモード、図８（ｂ）に再生モード、図８（ｃ）に予約モードが示されている。実施の形態１と同様、各表示モードにおいて、遠隔操作装置４８１は、表示モード遷移ボタン１３０を表示する。
【００７６】
この第１の遠隔操作装置４８１の動作は、実施の形態１で説明した動作と同じであり、例えば、図８（ａ）に示すテレビモードを表示した状態で、再生モードボタン１３３を押下すると、第１の遠隔操作装置４８１は、図８（ｂ）に示す再生モードへ遷移する。また、例えば、図８（ａ）に示すテレビモードを表示した状態で、予約モードボタン１３２を押下すると、第１の遠隔操作装置４８１は、図８（ｃ）に示す予約モードへ遷移する。
【００７７】
図９に示す別の遠隔操作装置である第２の遠隔操作装置４８２は、液晶タッチパネル１２５を有しておらず、仮想操作ボタンの代わりに、表示装置１１２および記録再生装置１１３の操作に用いられる複数の実体操作ボタンを有する。本実施の形態では、この実体操作ボタンは、主としてテレビ視聴に使用するテレビ用ボタン群４８３、主として記録済み番組の再生に使用する再生用ボタン群４８４、主として放送番組の録画予約に使用する予約用ボタン群４８５であるものとする。
【００７８】
第２の遠隔操作装置４８２には、例えば、従来のリモートコントローラが該当する。このような第２の遠隔操作装置４８２は、テレビ視聴、再生、録画予約に必要なボタン全てを備えていることが多い。しかしながら、これらボタンは実体的に設けられるため、ボタン数が多くなっている。そのため、使用目的に対して、第２の遠隔操作装置４８２のどのボタンを使用すればよいかを一見して判別しにくいという欠点がある。それに対し、実施の形態１に係る遠隔操作装置１１１では、使用目的に必要とされるボタンのみを表示して、ボタン数を減らしている。
【００７９】
第２の遠隔操作装置４８２は、以上のような欠点はあるが、安価であるという利点を有することから、記録再生装置１１３などの遠隔操作装置に依然として利用されており、第１の遠隔操作装置４８１と併用される場合が多い。
【００８０】
しかし、第１の遠隔操作装置４８１の仮想操作ボタンと、第２の遠隔操作装置４８２の実体操作ボタンとの間には、関連性が無いため、第１の遠隔操作装置４８１の使い方に慣れても、第２の遠隔操作装置４８２の操作に慣れることはできなかった。
【００８１】
そこで、本実施の形態では、液晶タッチパネル１２５は、第２の遠隔操作装置４８２の複数の実体操作ボタンを複数の仮想操作ボタンとして表示する。なお、本実施の形態では、図８，図９に示すように、第１の遠隔操作装置４８１の液晶タッチパネル１２５は、各表示モードごとに、第２の遠隔操作装置４８２の実体操作ボタンの一部を表示している。
【００８２】
本実施の形態に係る第１の遠隔操作装置４８１は、図８（ａ）に示すように、テレビ操作に使用され、第２の遠隔操作装置４８２のテレビ用ボタン群４８３と同じ種類・配置からなる仮想操作ボタンをテレビモードにおいて表示する。また、第１の遠隔操作装置４８１は、図８（ｂ）に示すように、記録済み番組の再生に使用され、第２の遠隔操作装置４８２の再生用ボタン群４８４と同じ種類・配置からなる仮想操作ボタンを再生モードにおいて表示する。また、第１の遠隔操作装置４８１は、図８（ｃ）に示すように、放送番組の録画予約に使用され、第２の遠隔操作装置４８２の予約用ボタン群４８５と同じ種類・配置からなる仮想操作ボタンを予約モードにおいて表示する。
【００８３】
以上の構成からなる遠隔操作システムによれば、使用者は、表示装置１１２および記録再生装置１１３の操作に不慣れな間は、第１の遠隔操作装置４８１のテレビモード（図８（ａ））、再生モード（図８（ｂ））、予約モード（図８（ｃ））を使用して、表示装置１１２や記録再生装置１１３の操作を行うことができる。これらのモードで表示される仮想操作ボタンは、図９に示す第２の遠隔操作装置４８２のテレビ用ボタン群４８３、再生用ボタン群４８４、予約用ボタン群４８５と同じである。そのため、使用者は、第１の遠隔操作装置４８１を使用して、第１の遠隔操作装置４８１の使用方法を習得している間に、第２の遠隔操作装置４８２の使用方法も同時に習得することができる。
【００８４】
一般的に、使用者は、機器操作の習熟度が上がると、ボタン数が多くても操作に迷うことなく目的のボタンを選択することが可能となる。使用者は、本実施の形態に示す第１の遠隔操作装置４８１に使い慣れることで、第２の遠隔操作装置４８２を違和感なく使用できるようになり、結果的に遠隔操作システムの使い勝手を向上させることができる。
【００８５】
なお、本実施の形態に係る第１の遠隔操作装置４８１では、各表示モードでの表示内容を第２の遠隔操作装置４８２の一部のボタンを表示するように構成した。しかし、これに限ったものではなく、第２の遠隔操作装置４８２の全部のボタンを表示する表示モードを設けてもよい。また、第２の遠隔操作装置４８２に、第１の遠隔操作装置４８１における表示モード遷移ボタン１３０に相当するボタンを用意してもよい。
【図面の簡単な説明】
【００８６】
【図１】実施の形態１に係る遠隔操作システムの構成図である。
【図２】実施の形態１に係る遠隔操作システムの遠隔操作装置のブロック図である。
【図３】実施の形態１に係る遠隔操作システムの表示モードの遷移を示す図である。
【図４】実施の形態１に係る遠隔操作システムの再生モードへの遷移を示す図である。
【図５】実施の形態１に係る遠隔操作システムの予約モードへの遷移を示す図である。
【図６】実施の形態２に係る遠隔操作システムの表示モードの遷移を示す図である。
【図７】実施の形態３に係る遠隔操作システムのテレビモードを示す図である。
【図８】実施の形態４に係る遠隔操作システムの第１の遠隔操作装置を示す図である。
【図９】実施の形態４に係る遠隔操作システムの第２の遠隔操作装置を示す図である。
【符号の説明】
【００８７】
１１１，２６１，３７１  遠隔操作装置、１１２  表示装置、１１３  記録再生装置、１１４  接続ケーブル、１１５  赤外線送信信号、１２１  ＣＰＵ、１２２  メモリ、１２３  液晶パネル、１２４  タッチパネル、１２５  液晶タッチパネル、１２６  信号送信部、１２７  発音装置、１３０  表示モード遷移ボタン、１３１  テレビモードボタン、１３２  予約モードボタン、１３３  再生モードボタン、１３４  放送切換ボタン、１３５，１３６，１３７，１３８，１３９，１４０，１４１  仮想操作ボタン、２６２  再生リストボタン、２６３  番組表ボタン、３７２  地上波デジタル放送選択ボタン、３７３  ＢＳデジタル放送選択ボタン、３７４  ＣＳデジタル放送選択ボタン、３７５  地上波アナログ放送選択ボタン、４８１  第１の遠隔操作装置、４８２  第２の遠隔操作装置、４８３  テレビ用ボタン群、４８４  再生用ボタン群、４８５  予約用ボタン群。
【図１】
0005107017.tif 000002
【図２】
0005107017.tif 000003
【図３】
0005107017.tif 000004
【図４】
0005107017.tif 000005
【図５】
0005107017.tif 000006
【図６】
0005107017.tif 000007
【図７】
0005107017.tif 000008
【図８】
0005107017.tif 000009
【図９】
0005107017.tif 000010